【手続補正書】
【提出日】平成23年6月28日(2011.6.28)
【手続補正１】
【補正対象書類名】特許請求の範囲
【補正対象項目名】全文
【補正方法】変更
【補正の内容】
【特許請求の範囲】
【請求項１】
データ受信装置であって、
近接無線通信によりデータ送信装置と通信するための通信手段と、
前記データ送信装置との接続の状態を検知する検知手段と、
前記通信手段を介して前記データ送信装置と第１の接続を確立したことが前記検知手段により検知された場合、前記通信手段は、前記データ送信装置の記憶媒体に記憶されたデータの一覧を示すインデックス情報を前記データ送信装置から受信し、
前記インデックス情報の受信後、前記インデックス情報に基づいて前記データ送信装置から受信するデータの指定を受け付ける指定手段をさらに有し、
前記指定手段によりデータの指定が受け付けられた後であり、かつ前記検知手段により前記第１の接続の切断が検知された後で、前記通信手段を介して前記データ送信装置と第２の接続を確立した場合、前記通信手段を介して前記指定手段により指定されたデータを前記データ送信装置から受信することを特徴とするデータ受信装置。
【請求項２】
装置を識別する識別情報を記憶するメモリと、
前記第１の接続の切断が検知された後で、前記検知手段が外部装置との接続の確立を検知した場合、前記メモリに予め記憶された識別情報と、前記外部装置から受信した識別情報とを比較して、前記第１の接続を確立していたデータ送信装置と前記第２の接続を確立したか否かを判定する判定手段とをさらに有する請求項１に記載のデータ受信装置。
【請求項３】
前記通信手段を介して前記データ送信装置から前記インデックス情報を受信した後に、前記データ送信装置との前記第１の接続の切断を促す報知をユーザに行う報知手段をさらに有する請求項１または２に記載のデータ受信装置。
【請求項４】
前記インデックス情報に基づいて当該データ送信装置の記憶媒体が格納するデータの一覧を表示する表示手段をさらに有し、
前記指定手段は、前記一覧から受信するデータの指定を受け付けることを特徴とする請求項１乃至３のいずれか１項に記載のデータ受信装置。
【請求項５】
前記指定手段は、前記検知手段により前記第１の接続の切断が検知された後、前記データ送信装置から受信すべきデータの指定を受け付ける請求項１乃至４のいずれか１項に記載のデータ受信装置。
【請求項６】
データ送信装置であって、
近接無線通信によりデータ受信装置と通信するための通信手段と、
前記データ受信装置との接続の状態を検知する検知手段とを有し、
前記通信手段を介して前記データ受信装置と第１の接続を確立したことが前記検知手段により検知された場合、前記通信手段を介して、前記データ送信装置の記憶媒体に記憶されたデータの一覧を示すインデックス情報を前記データ受信装置に送信し、
前記インデックス情報を送信した後であり、かつ前記検知手段により前記第１の接続の切断が検知された後で、前記通信手段を介して前記データ受信装置と第２の接続を確立した場合、前記インデックス情報に基づき前記データ受信装置により選択されたデータを、前記通信手段を介して前記データ受信装置に送信するデータ送信装置。
【請求項７】
装置を識別する識別情報を記憶するメモリと、
前記第１の接続の切断が検知された後で、前記検知手段が外部装置との接続の確立を検知した場合、前記メモリに予め記憶された識別情報と、前記データ受信装置から受信した識別情報とを比較して、前記第１の接続を確立していたデータ受信装置と前記第２の接続を確立したか否かを判定する判定手段とを有する請求項６に記載のデータ送信装置。
【請求項８】
前記通信手段を介して前記データ受信装置に前記インデックス情報を送信した後に、前記データ受信装置との前記第１の接続の切断を促す報知をユーザに行う報知手段をさらに有する請求項６または７に記載のデータ送信装置。
【請求項９】
近接無線通信によりデータ送信装置と通信するための通信手段を有するデータ受信装置の制御方法であって、
前記データ送信装置との接続の状態を検知する検知工程と、
前記通信手段を介して前記データ送信装置と第１の接続を確立したことが前記検知工程で検知された場合、前記通信手段を介して、前記データ送信装置の記憶媒体に記憶されたデータの一覧を示すインデックス情報を前記データ送信装置から受信するインデックス受信工程と、
前記インデックス受信工程での前記インデックス情報の受信後、前記インデックス情報に基づいて前記データ送信装置から受信するデータの指定を受け付ける指定工程と、
前記指定工程でデータの指定が受け付けられた後であり、かつ前記検知工程で前記第１の接続の切断が検知された後で、前記通信手段を介して前記データ送信装置と第２の接続を確立した場合、前記通信手段を介して前記指定工程で指定されたデータを前記データ送信装置から受信するデータ受信工程と
を有することを特徴とするデータ受信装置の制御方法。
【請求項１０】
近接無線通信によりデータ受信装置と通信するための通信手段を有するデータ送信装置の制御方法であって、
前記データ受信装置との接続の状態を検知する検知工程と、
前記通信手段を介して前記データ受信装置と第１の接続を確立したことが前記検知工程で検知された場合、前記通信手段を介して、前記データ送信装置の記憶媒体に記憶されたデータの一覧を示すインデックス情報を前記データ受信装置に送信するインデックス送信工程と、
前記インデックス送信工程で前記インデックス情報を送信した後であり、かつ前記検知工程で前記第１の接続の切断が検知された後で、前記通信手段を介して前記データ受信装置と第２の接続を確立した場合、前記インデックス情報に基づき前記データ受信装置により選択されたデータを、前記通信手段を介して前記データ受信装置に送信するデータ送信工程
とを有することを特徴とするデータ送信装置の制御方法。
【請求項１１】
近接無線通信によりデータ送信装置と通信するための通信手段を有するコンピュータに読み込ませ実行させることで、前記コンピュータをデータ受信装置として機能させるプログラムであって、
前記コンピュータを、
前記データ送信装置との接続の状態を検知する検知手段、
前記通信手段を介して前記データ送信装置と第１の接続を確立したことが前記検知工程で検知された場合、前記通信手段を介して、前記データ送信装置の記憶媒体に記憶されたデータの一覧を示すインデックス情報を前記データ送信装置から受信するインデックス受信手段、
前記インデックス受信手段での前記インデックス情報の受信後、前記インデックス情報に基づいて前記データ送信装置から受信するデータの指定を受け付ける指定手段、
前記指定手段でデータの指定が受け付けられた後であり、かつ前記検知手段で前記第１の接続の切断が検知された後で、前記通信手段を介して前記データ送信装置と第２の接続を確立した場合、前記通信手段を介して前記指定手段で指定されたデータを前記データ送信装置から受信するデータ受信手段
として機能させることを特徴とするプログラム。
【請求項１２】
近接無線通信によりデータ受信装置と通信するための通信手段を有するコンピュータに読み込ませ実行させることで、前記コンピュータをデータ送信装置として機能させるプログラムであって、
前記コンピュータを、
前記データ受信装置との接続の状態を検知する検知手段、
前記通信手段を介して前記データ受信装置と第１の接続を確立したことが前記検知手段で検知された場合、前記通信手段を介して、前記データ送信装置の記憶媒体に記憶されたデータの一覧を示すインデックス情報を前記データ受信装置に送信するインデックス送信手段、
前記インデックス送信手段で前記インデックス情報を送信した後であり、かつ前記検知手段で前記第１の接続の切断が検知された後で、前記通信手段を介して前記データ受信装置と第２の接続を確立した場合、前記インデックス情報に基づき前記データ受信装置により選択されたデータを、前記通信手段を介して前記データ受信装置に送信するデータ送信手段
として機能させることを特徴とするプログラム。
【手続補正２】
【補正対象書類名】明細書
【補正対象項目名】発明の名称
【補正方法】変更
【補正の内容】
【発明の名称】データ受信装置、データ送信装置、それらの制御方法及びプログラム。
【手続補正３】
【補正対象書類名】明細書
【補正対象項目名】０００４
【補正方法】変更
【補正の内容】
【０００４】
本発明は、このような従来技術の課題を少なくとも１つ解決することを目的としてなされたものである。本発明は、近接無線通信によりデータ送信装置からデータを取得するデータ受信装置及びその制御方法において、近接無線通信による通信接続を保つことなく、転送すべきデータの選択操作をデータ受信装置で受け付けることを目的の１つとする。
【手続補正４】
【補正対象書類名】明細書
【補正対象項目名】０００５
【補正方法】変更
【補正の内容】
【０００５】
上記目的は、データ受信装置であって、近接無線通信によりデータ送信装置と通信するための通信手段と、前記データ送信装置との接続の状態を検知する検知手段と、前記通信手段を介して前記データ送信装置と第１の接続を確立したことが前記検知手段により検知された場合、前記通信手段は、前記データ送信装置の記憶媒体に記憶されたデータの一覧を示すインデックス情報を前記データ送信装置から受信し、前記インデックス情報の受信後、前記インデックス情報に基づいて前記データ送信装置から受信するデータの指定を受け付ける指定手段をさらに有し、前記指定手段によりデータの指定が受け付けられた後であり、かつ前記検知手段により前記第１の接続の切断が検知された後で、前記通信手段を介して前記データ送信装置と第２の接続を確立した場合、前記通信手段を介して前記指定手段により指定されたデータを前記データ送信装置から受信することを特徴とするデータ受信装置によって達成される。
【手続補正５】
【補正対象書類名】明細書
【補正対象項目名】０００６
【補正方法】変更
【補正の内容】
【０００６】
また、上記目的は、データ送信装置であって、近接無線通信によりデータ受信装置と通信するための通信手段と、前記データ受信装置との接続の状態を検知する検知手段とを有し、前記通信手段を介して前記データ受信装置と第１の接続を確立したことが前記検知手段により検知された場合、前記通信手段を介して、前記データ送信装置の記憶媒体に記憶されたデータの一覧を示すインデックス情報を前記データ受信装置に送信し、前記インデックス情報を送信した後であり、かつ前記検知手段により前記第１の接続の切断が検知された後で、前記通信手段を介して前記データ受信装置と第２の接続を確立した場合、前記インデックス情報に基づき前記データ受信装置により選択されたデータを、前記通信手段を介して前記データ受信装置に送信するデータ送信装置によっても達成される。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】変更
【補正の内容】
【０００９】
本発明によれば、近接無線通信による通信接続を保つことなく、転送すべきデータの選択操作をデータ受信装置で受け付けることができる。